(57)【要約】      （修正有）【課題】  細菌類およびそれらの毒素、重症急性呼吸器症候群（ＳＡＲＳ）などの病原性ウイルス類並びに化学薬品等の有害物質を、光触媒技術と空気清浄技術で無害化することにより、被害を皆無ないし最小限にとどめる。【解決手段】  仕切壁１０で区画された２室以上の並列密閉空間Ａ室、Ｂ室を形成させ、各室に給気ダクト１１と還気ダクト１２を取付ける。抗菌加工空間内に抗菌加工し、浮遊塵埃センサ２２を取付ける。還気ダクト１２に設けた外気取入口１３の下流に滅菌・除菌用の紫外線殺菌灯内蔵の化学フィルタ１８と空気浄化のため空気清浄器２０とからなる空気浄化装置１７を配置する。室内に設けた浮遊塵埃センサ２２によって浮遊塵埃の粒径・数量を検出し、その検出値が所定値を超えたときには、コンピュータ２４を介して塵埃表示器２５を点灯させる。最重要施設に対しては、個別滅菌・清浄化ゲートを併設し、多数回循環させることで浄化能力を向上させる。【選択図】  図１
2005249299.tif 000002
【特許請求の範囲】
【請求項１】
化学フィルタと空気清浄器とからなる空気浄化装置で処理した清浄空気を、抗菌加工した空間と非抗菌加工の空間とを隣接させた２室以上の並列密閉空間へ供給して、換気を重ねることを特徴とする汚染物質を除去する方法。
【請求項２】
室内を抗菌加工した空間と非抗菌加工空間とを隣接させた２室以上の並列密閉空間を設け、前記抗菌加工空間を部外者立ち入り空間とし非抗菌加工空間を部外者立ち入り禁止空間とすると共に、前記両空間への循環空気路に、紫外線殺菌灯を併用する化学フィルタと空気清浄器からなる空気浄化装置を配置し、該空気浄化装置で処理した清浄空気を、並列密閉に供給して空間の空気の循環により、換気を重ねることを特徴とする汚染物質を除去する装置。
【請求項３】
前記抗菌加工空間内の床に抗菌ワックス、天井に抗菌クリア、壁に抗菌クリアを塗布または抗菌カーテンを設けると共に陽圧空間とし、非抗菌加工空間を陰圧空間として両空間内に浮遊塵埃センサを取付け、前記循環空気路中に空気浄化のため空気清浄器と滅菌・除菌用の紫外線殺菌灯内蔵の化学フィルタとからなる空気浄化装置を配置して、平時には下向き気流と床面吸引とで除塵、除菌、消臭又はガス除去を行い、浮遊塵埃センサによって所定粒径以上の病原菌又は重症性感染症病原菌を検出したときには化学フィルタにより滅菌し気流を改善するようにした、ことを特徴とする汚染物質を除去する装置。
【発明の詳細な説明】
【技術分野】
【０００１】
本発明は、疸ソ菌、ボツリヌス菌を代表とする細菌類およびそれらの毒素、天然痘ウイルス、ステルスウイルス及び重症急性呼吸器症候群（ＳＡＲＳ）などの病原性ウイルス類並びに砒素・青酸カリ・塩酸・硫酸・サリンなどの化学薬品等であり、これらの有害物質を、光触媒技術と空気清浄技術で無害化することにより、被害を皆無ないし最小限にとどめる方法とその装置に関する。
【背景技術】
【０００２】
昨今、ＳＡＲＳコロナウイルスを病原体とする感染症の発生に対し、各国とも緊急な対応を迫られている、一方テロリストによる国家的に重要な人物や施設への生物化学的物質による攻撃が懸念されている。すなわち、疸ソ菌、ボツリヌス菌を代表とする細菌類およびそれらの毒素、天然痘ウイルス、ステルスウイルスおよび重症急性呼吸器症候群（ＳＡＲＳ）などの微生物、並びに砒素・青酸カリ・塩酸・硫酸・サリンなどの化学薬品等による攻撃に対処する方策が求められている。
【０００３】
重症急性呼吸器症候群（ＳＡＲＳ）は、ＳＡＲＳコロナウイルスを病原体とする感染症で、患者のせきを浴びたり、飛沫や体液等に直接触れるなどの濃厚な接触をしたりした場合に感染し、２〜７日、最大１０日程度の潜伏期間を経て発症する。潜伏期或いは無症状期における他への感染力は極めて弱いと考えられている。また、ＳＡＲＳウイルスは、エタノールや漂白剤等の消毒で死滅する。このウイルスによる肺炎に対してはマスク・ガウン等感染防禦資器材を整備して感染症病室簡易陰圧装置、ＳＡＲＳ患者と他の患者とを区分するパーティション内等で全身状態の管理、呼吸管理、症状を和らげる治療などをおこなうが、感染予防として手洗い、うがい以外になく、ＳＡＲＳの迅速診断法や治療法の研究と共に、抗ウイルス剤や予防ワクチンの研究開発が急がれている。また、インフレンザウイルスや、化学薬品等による攻撃に対しては未だ有効な方策を見出していない。
【発明の開示】
【発明が解決しようとする課題】
【０００４】
粒子状、液体状又はガス状の有害物質散布による生物・化学テロ、或いは細菌類、毒素、病原性ウイルス類を含む飛沫・浮遊・散布等による感染を防ぐことは、国を超えて当面の解決しなければならない問題である。特に、これらの有害物質の浮遊、拡散或いは空調等による循環、同一場所又は他の場所へ再分配により汚染域が拡大し、被害を増幅させる危険を未然に防ぐ必要に迫られているが、現状では充分に対処できているとは言えない。
本発明は、守るべき人物や施設の重要度に応じて構成を変えることで、被害を（発症者・致死者）を限りなくゼロにすることを目指すものである。例として、４５００ｍ２の床面積を有する建物に数百名の人が働く施設が生物化学テロにより、攻撃された場合の被害を、無対策の場合と、対処手段又はシステムグレード（後述）別の対策を施したものとを比べると、一般室、重要室を問わず、被害者、発症者、死者数のいずれも無対策の場合に比べ５０〜２０％に、又はそれ以下に抑えることを目的とするものである。
【課題を解決するための手段】
【０００５】
上記目的を達成するため、本発明の請求項１は、化学フィルタと空気清浄器とからなる空気浄化装置で処理した清浄空気を、抗菌加工した空間と非抗菌加工の空間とを隣接させた２室以上の並列密閉空間へ供給して、換気を重ねることを特徴とする汚染物質を除去する方法である。請求項２は、室内を抗菌加工した空間と非抗菌加工空間とを隣接させた２室以上の並列密閉空間を設け、前記抗菌加工空間を部外者立ち入り空間とし非抗菌加工空間を部外者立ち入り禁止空間とすると共に、前記両空間への循環空気路に、紫外線殺菌灯を併用する化学フィルタと空気清浄器からなる空気浄化装置を配置し、該空気浄化装置で処理した清浄空気を、並列密閉に供給して空間の空気の循環により、換気を重ねることを特徴とする汚染物質を除去する装置である。また、請求項３は、前記抗菌加工空間内の床に抗菌ワックス、天井に抗菌クリア、壁に抗菌クリアを塗布または抗菌カーテンを設けると共に陽圧空間とし、非抗菌加工空間を陰圧空間として両空間内に浮遊塵埃センサを取付け、前記循環空気路中に空気浄化のため空気清浄器と滅菌・除菌用の紫外線殺菌灯内蔵の化学フィルタとからなる空気浄化装置を配置して、平時には下向き気流と床面吸引とで除塵、除菌、消臭又はガス除去を行い、浮遊塵埃センサによって所定粒径以上の病原菌又は重症性感染症病原菌を検出したときには化学フィルタにより滅菌し気流を改善するようにした、ことを特徴とする汚染物質を除去する装置である。
【発明を実施するための最良の形態】
【０００６】
本発明は、化学フィルタと、空気清浄器と、２室以上の並列密閉空間との間での空気の循環により、換気を重ねることにより汚染物質を除去する方法であり、特に、最重要施設に対しては、２室以上の並列密閉空間としたＡ室をテロ発生のおそれのある抗菌加工のエリア、Ｂ室を非抗菌加工の保護対象エリアとし、個別化学フィルタと空気清浄器とによる空気浄化装置（バクテリア、ウイルスに対する抗菌処理したパネルと紫外線殺菌灯内蔵による滅菌ゲート又はシェルタ）を併設し、多数回循環（例えばＮ＝８〜１６回／時）させることで浄化能力を向上させる。また、これにより、浄化時間を短縮して汚染物質を除去するものである。なお、Ａ室、Ｂ室とも室内圧を、大気圧附近又は陽・陰圧下でほぼ同じにしてもよいが、Ａ室を陽圧空間、Ｂ室を陰圧空間としてもよい。
【０００７】
図１は本発明方法を実施する装置の平面図である。図示のように、仕切壁１０で区画された２室以上の並列密閉空間で、抗菌加工したＡ室と非抗菌加工のＢ室とを形成させ、各室に給気ダクト１１と還気ダクト１２を取付ける。抗菌空間内の床に抗菌ワックス、天井に抗菌クリア、壁に抗菌クリアを塗布または抗菌カーテンを設けるほか、両空間内に浮遊塵埃センサ２２を取付ける。密閉空間の壁に給気口と吸気口を開口させ、天井に排気口１４、１４から排気ダクト１５，１５を設ける。さらに還気ダクト１２に設けた外気取入口１３の下流に滅菌・除菌用の紫外線殺菌灯内蔵の化学フィルタ１８と空気浄化のため空気清浄器２０とからなる空気浄化装置１７を配置する。還気ダクト１２の途中に切換弁１６を設けて一方に化学フィルタ１８を介して空気浄化装置１７に連ね、他方にバイパス１９を設けて直接空気浄化装置１７に連ねる。
平時にはＡ室、Ｂ室ともに下向き気流と床面吸引とで除塵、除菌、消臭又はガス除去を行う一方、室内に設けた浮遊塵埃センサ２２によって浮遊塵埃の粒径・数量を検出し、その検出値を浮遊塵埃測定器２３に入力する。浮遊塵埃測定器２３では所定粒径以上の病原菌又は重症性感染症病原菌の量を測定し、所定値を超えたときには、コンピュータ２４を介して塵埃表示器２５を点灯させる。
【０００８】
上記のように、化学フィルタ１８と、空気清浄器１７と、２室以上の並列密閉空間Ａ室、Ｂ室の空気の循環により、換気を重ねることによって汚染物質を除去するものであり、特、最重要施設に対しては、２室以上の並列密閉空間としたＡ室をテロの発生の高い場所、Ｂ室を外来者立入禁止の保護対象エリアとし、個別化学フィルタと空気清浄器とによる空気浄化装置（バクテリア。ウイルス滅菌ゲート又はシェルタ）を併設し、多数回循環（例えばＮ＝８〜１６回／時）させることで浄化能力を向上させる。
【０００９】
化学フィルタと空気清浄器とによる空気浄化装置使用のメリットとしては、有害物質の散布によって浮遊する有害物質が減少するため、摂取量減少で治療効果増となる一方、摂取者数の減少で発生率低下となり、その結果、被害者が減少して安全な状態になる。
デメリットは下記のとおりである。（イ）電力消費が増加する（送風機動力の増加、前記空気浄化装置の電力消費及び床面の照度２５０ルクス以上確保の為の消費電力）。（ロ）光触媒の酸化作用により有害性のある中間生成物が生ずることがある。（ハ）機械室に化学フィルタと空気清浄器とによる空気浄化装置の設置スペースが必要となる。（ニ）室内に立ち下げダクト又は空気浄化装置の設置スペースを必要とする。
【００１０】
本発明は、生物化学テロに使われる材料を「粒子状物質」と「ガス状物質」として捉え、その特性と材料本来の特徴を利用した対処方法でもある。技術的なデータは実績と研究に基づいて出願人開発した規格・資料を採用したものであって、対象は建物内部に於ける生物化学テロであり、頻繁に発生するものではないが、平時はシックビルの改善或いはインフルエンザやＳＡＲＳの予防などに活用できる常備性のある対策である。
（構成１）；ＡＢ区分方式で、Ａゾーンは外来者の立ち入り区域でテロ発生の確率の高い区域であり、Ｂゾーンは外来者の立入禁止区域で保護区域とする。  （構成２）；化学フィルタと空気清浄器とによる空気浄化装置‥菌・ウイルスを死滅・不活化する装置（ガス除去も併設）で、ＨＥＰＡフィルタの弱点（ウイルスによる二次汚染現象）を解消した空気浄化装置である。また、空調区分方式の弱点（テロ発生系統の全滅の危険性）も解消できる。
（構成３）；気流の改善‥散布された汚染物質を気流で下方へ移動させる作用と下方からの吸引排出作用で、摂取量・摂取率が減る効果が生まれる。その結果、被害者の発生率が減り、治療効果が増す。
（構成４）；内面の抗菌化‥光触媒の酸化作用は、液体やガスなどの毒性作用を低下させる効果は即座に発揮する。天井・壁（カーテン含む）の加工は主にガス状物質対策である。１μ未満の粒子とガス以外は自然沈降するので、床面の加工は特に効果がある。
（構成５）；自動制御‥粒子状物質（日常の存在量＋臨時の増加量）を自動計測する。同時刻の増加が１０倍の時、警報を発する。テロの発生および発生場所を即座に知ることができる。ただし、テロに使われた材料を知ることはできない。ガス状物質も同様手法で感知する。
【００１１】
（塵埃測定自動制御の原理）１μ未満の粒子は自然凝集して１μ以上に成長するものが多く、これらは静空間では沈降するが動空間では浮遊する。その中で、わずかな気流（０．０００６ｍ／秒）でも浮遊する１μ粒子を１μ未満の粒子の指標とする。また、ウイルス用の卵白粒子（１μ）や疸ソ菌芽胞（１．５〜３μ）のように人工生成されたものも、自然凝集して１０μ以上になると見えるようになるが、沈降しやすく浮遊しにくくなる。そこで、浮遊粒子のほぼ限界となる５μに成長したものを１μ以上の粒子の指標とする（０．０１５ｍ／秒以上で浮遊）。なお、５μ粒子は、浮遊塵埃としてフィルタに捕捉されて循環せず、室内で発生又は散布したものを計測するので異常が発見しやすい。したがって、この２つの粒子の異常増加を計測することによって粒子状物質の散布を迅速に察知することができる。なお、１．０μ前後はウイルス用卵白細胞・高度生成菌（化学物質の凝集体）、５．０μは卵白細胞や高度生成菌の凝集体（浮遊限界）として扱う。
【００１２】
浮遊塵埃測定器で、室内の１μと５μ粒子の浮遊量を常時測定し、設定数値より異常に増加した時に警報や信号を発する。
設定数値の求め方としては、前日までの５週間の指標粒子の平均値（１回の換気時間毎）と同時刻の計測値を比較し、平均値の１０倍以上を計測したら異常と見なして、警報や信号を発する。平均値は毎日、再計算して更新する。（コンピュータ処理）これにより、テロの発生と発生場所を即座に知り、緊急避難や封鎖あるいは化学フィルタと空気清浄器とによる空気浄化装置の作動による空気浄化などを迅速に行う。または、ガス状物質の感知・警報も同様方法で行うことができる。
運転中に異常増加を感知したときには、（１）個別化学フィルタと空気清浄器とによる空気浄K化装置を作動させる。平時は使用しないがインフルエンザなどの流行時は手動で作動させる。（２）通過空気をバイパスさせずに化学フィルタと空気清浄器とによる空気浄K化装置を通過させる。平時は使用しないがインフルエンザなどの流行時は手動で作動させる。（３）中央式化学フィルタと空気清浄器とによる空気浄K化装置の通過空気量を増やし、減少したらバイパスさせる。平時も室内の指標粒子の量が一定になる。
本発明は室内の浮遊菌等の捕捉はもちろんのこと、落下菌や床、壁もしくは天井等の内装部に付着した菌類を滅菌することができる。
【００１３】
本発明で除去すべき「有害物質」とは、下記の形状又は状態、原料を指す。
（形状）粒子状物：１〜１０μの散布、気流により浮遊と沈降に区分される。
液体状物：原料液や懸濁液の噴霧によるもので、噴霧粒子の大きさにより粒状
と同様に区分される。
ガス状物：液化ガス又は気体の噴射で常温気化し、比重により上昇又は下降す
るもの。
（原料）微生物  ：疸ソ菌の胞子（改良型１．５〜３μ）、（遅効性）ボツリヌス菌（
強力な毒素を産生）、天然痘ウイルス（２５０〜３００ｎｍ）、ス
テルスウイルス、ＳＡＲＳなどのウイルス類。
化学薬品：砒素・青酸カリ・塩酸・硫酸・サリン（速効性）。
【００１４】
被害を減らす手段としては、下記手段又は対処イ，ロ，ハが挙げられる。
（手段イ）：空気を浄化する。
外気；取入れ外気からの侵入を防止する。外気専用又は中央式化学フィルタと空気清浄
器とによる空気浄K化装置を設置する。
室内空気；室内の有害物質を化学フィルタと空気清浄器とによる空気浄K化装置で浄化
する。中央式化学フィルタと空気清浄器とによる空気浄K化装置を設置でき
ない時は個別式化学フィルタと空気清浄器とによる空気浄Ｋ化装置を室内に
設ける。
（手段ロ）：室内面を浄化する。
天井：比重の軽いガス状物質を分解処理するため、抗菌クリアを塗布する。
壁  ；比重の軽いガス状物質を分解処理するため、抗菌クリアを塗布又は窓部分に抗菌
加工したレースカーテンを設ける。
床  ；沈降・堆積する有害物質を分解処理するため、抗菌ワックスを塗布する。
例えば、プラスチックタイル、木材又は石材床に抗菌ワックスを塗布し、補強コ
ンクリート床に抗菌エポキシ樹脂を塗装した抗菌タイルを敷設する。
なお、天井・壁；組立式の抗菌断熱パネルを使用すると、気密性が非常に良く、
有害物質の漏洩や侵入を防ぐ必要のある場合に適している。
（手段ハ）：気流を改善する。
１．下方気流；有害物質の浮遊停滞を減らして呼吸による摂取量を減らす。
２．吸込み口；床面付近から空気を吸込む形式にすると、下方に溜まる有害物質を早く
排出できる。
【００１５】
上記各手段を実行する際には次の事項を注意する必要がある。
１；ジュータンは、風味を損ねるばかりか、繊維間の内部の光エネルギーが届かず、光触
媒加工しても意味がないため、抗菌加工しない。また、繊維間に侵入した微粒子は再飛
散しにくい。その代替方法として前述の対処Ｂ−３に変更する。
２；壁面は、風味を損ね、人肌との接触防止のため極力抗菌加工しない。その対策として
抗菌カーテンを使用し、現状が塗布仕上げなら抗菌塗装が可能である。
３；ガラス面は、光散乱現象（虹色）が発生するため抗菌加工しない。自然光を吸収しや
すい抗菌カーテンを使用する。
４；化学フィルタと空気清浄器とによる空気浄K化装置に内蔵させた紫外線殺菌灯は、波
長２５３．７ｎｍを使用しているのでオゾンは発生しない。
５；化学フィルタと空気清浄器とによる空気浄化装置の電材品はＵＬ規格品を使用する
。
【００１６】
換気の効果として、換気回数Ｎ（回／時）による粒子状物質の減少量Sを安全率２として例示すると、下記のとおりとなる。
Ｎ＝１回／時→  Ｓ＝  −                Ｎ＝６  →  Ｓ＝０．６７
２      →      ０．０                 ７  →    ０．７２
３      →      ０．３３３             ８  →    ０．７５
４      →      ０．５                 ９  →    ０．７８
５      →      ０．６               １０  →    ０．８
排出量  粒子状＝  排出率×（浮遊残留量  −  沈降量）
ガス状＝  排出率×（浮遊残留量  −  内装面吸着量）
次の浮遊残留量＝  前の残留量  ＋  再循環量
再循環量      ＝  通過率×０．６
通過率        ＝  現状（粗塵用）    →  ×０．８
ＢＶ（中性能型）  →  ×０．０２３５
ＢＶ（準高性能型）→  ×０．０００２７２
ＢＶ（高性能型）  →  ×０．０００００１５８
【００１７】
（化学フィルタと空気清浄器とによる空気浄化装置の効果）
空気中の有害物質を浄化する装置（送風機は含まない）。特注品としては、ＵＬＰＡフィルタを使用する場合とガス用フィルタを追加する場合がある。
１．中性能型
粒子状物質  プレ  ＋中性能＋抗菌＋ガス用（１層）  通過率
０．１μ  ９９％  ９０    ９９    ９０×１    ＝７９．３９％
１．０μ  ９０      ５    ９０    ５８×１    ＝  ２．３５％
ウイルス  ７９．３９×０．０００１（非損傷率）＝０．００７９３９％
ガス状物質
フィルタ１層  １００％×０．５×０．２    ＝１０．０％
２．準高性能型
粒子状物質  プレ＋準高性能＋抗菌＋ガス用（２層）  通過率
０．１μ  ９９  １．５    ９９  ９０×２    ＝  １．１９０８％
１．０μ  ９０  ０．１    ９０  ５８×２    ＝  ０．０２７２％
ウイルス  １．１９×０．０００１（非損傷率）＝  ０．０００１１９％
ガス状物質
フィルタ２層  １００％×０．５×０．０４  ＝  ２．０％
３．高性能型
粒子状物質  プレ＋準高性能＋抗菌＋ガス用（３層）  通過率
０．１μ  ９９  ０．０８    ９９  ９０×３    ＝  ０．０５７１５９％
１．０μ  ９０  ０．００１  ９０  ５８×３    ＝  ０．０００１５８％
ウイルス  ０．０５７×０．０００１（非損傷率）＝  ０．０００００６％
ガス状物質
フィルタ３層  １００％×０．５×０．００８  ＝  ０．４％
【００１８】
（内装材の効果）
ガス状物質の吸着率（１／換気回数）
Ｎ＝１      →  １．０          Ｎ＝  ６  →  ０．１６７
２      →  ０．５                ７  →  ０．１４３
３      →  ０．３３３            ８  →  ０．１２５
４      →  ０．２５              ９  →  ０．１１１
５      →  ０．２              １０  →  ０．１
内装面の吸着量は８０％は再発散されるものとする。
気流の効果を確かめるため、１〜１０μの粒子が１．１９０８から０．００１９１に渡って分布する場合、  粒子の体積＝｛４πｒ（３乗）｝÷３、分布量＝１÷粒子の体積とし、沈降量＝合計分布量÷２．２８８２９×１００とし、１μ粒子の沈降量を１００、気流速度０．０００６ｍ／秒として試算すると、１０μ粒子の沈降量が０．０８になるまで、気流速度＝０．３になるまで漸減した。
【００１９】
（床の効果）
１；床に沈降堆積する有害物質を酸化分解する。菌や毒素は直接作用（胞子は発芽した後
に作用）し、液体は水分への作用が含有する有害物質に及ぶ、又水分蒸発後は残留物に
直接作用する。その他、菌の栄養素（有機物）を日常的に減らすので、菌の増殖を抑制
する効果がある。
２；抗菌の有効度は、結晶精度９０％、接触障害１０％、表面分散度７５％とすると、
６０％≒０．９×（１−０．１）×０．７５である。
無効スペース（４０％）は光触媒に囲まれた限定スペースなので、菌の多量増殖は防止
される。アルコール水溶液や酸性水で拭き掃除後、酸性が失われても光触媒の作用が水
分に及ぶために２重の効果が得られる。
【００２０】
（光触媒フィルタの効果）
粒子状物質の除去能力は１０％、ガス状物質の吸着能力は５０％する。
この場合、排出した浮遊有害物質は下記の比に分配されるものとすると、
再循環  ０．６（同一フロア内：他のフロア⇒面積比）
その他  ０．４（設備内残留０．３＋排気０．１）となる。
【００２１】
（被害想定）生物化学テロが発生した時の被害状況を比較検討する。
比較    現状のまま：対処１（中性能型ＢＶ）：対処２（準高性能型ＢＶ）
規模    建物    延べ面積  ４５００ｍ
［１］一般施設
比較    現状のまま：対処１（中性能型ＢＶ）：対処２（準構成能型ＢＶ）
規模    建物    延べ面積  ４５００ｍ２  ＝  ９０ｍ×５０ｍ×１階建
対象室  ３０００ｍ２  ＝  ６０ｍ×５０ｍ
その他  １５００ｍ２  ＝  ３０ｍ×５０ｍ
天井高    ２．７ｍ
空調    方式      セントラル方式
換気回数  ８回／時（７．５分に１回換気）
送風量    １０８０ＣＭＭ＝  ３０００×２．７×８÷６０
外気量    １０８  ＣＭＭ＝  １０８０×０．１
対処１；中央式化学フィルタと空気清浄器とによる空気浄K化装置（中性能型）を１
基設け、吸込み口は立下りダクト又はカバーを設ける。天井加工は対象室・
その他を全面塗装（抗菌クリア）し、床加工は対象室・その他を全面塗装（
抗菌ワックス）する。
窓に抗菌レースカーテンを設ける
対処２；中央式化学フィルタと空気清浄器とによる空気浄K化装置（準高性能型）を
１基設ける。他は対処１に同じ。
対処３；中央式化学フィルタと空気清浄器とによる空気浄K化装置（高性能型）を１
基設ける。他は対処１に同じ。
（被害者の発生率）
被害者の発生は初期の散布量１００が換気によって室内残留量がゼロになるまで継続するので、その合計を発生係数とする。最大の被害者発生数は発生率１００％の時なので、上記数値を１００％とした時の対処１・対処２・対処３の数値を比較する。
【００２２】
（浮遊物質と沈降物質の区分）  空調設備の吹出し口と吸込み口の配置によって室内の気流速度が変化し、それに伴って、浮遊粒子の大きさ及び浮遊量が変わるので下記の４通りの平均値を求める。但し、ガス状物質は浮遊のみ１通りの計算とする。
セントラル方式で、（１）天井−床（垂直１方向）、（２）天井−天井（垂直２方向）ユニット式天吊型含む、（３）壁−壁（水平１方向）、（４）壁−壁（水平２方向）ユニット式床置型含むものとして、気流速度と沈降量を示すと下記のとおりである。
（１）垂直１方向０．００６ｍ／秒、最小沈降粒子４μ、沈降量２．９６％
（２）垂直２方向０．０１２ｍ／秒、最小沈降粒子５μ、沈降量１．６６％
（３）水平１方向（４系統）０．０２７７ｍ／秒、最小沈降粒子６μ、沈降量０．９９％
（４）水平２方向（４系統）０．０５５５ｍ／秒、最小沈降粒子８μ、沈降量０．３６％
【００２３】
［１の１］一般施設：粒子状物質を散布された時
「被害者発生係数」
（ａ）天井吹出し−床吹込み型
４μ未満は浮遊し、以上は沈降する。カビ菌の胞子はやや浮遊するが、ダニの糞や花粉は浮遊しない。気管支疾患の予防効果があり、飛沫感染防止効果がある。
（ａ−現状）  一般的な粗塵用フィルタの通過率０．８
Ｎ  残留量    沈降量    排出量    再循環量    その他
２．９６％  ７５％      ６０％    ４０％
被害者発生係数  ２５２．２１
（対処ａ−１）  フィルタの通過率０．０２３５
Ｎ  残留量      沈降量      排出量      再循環量      その他
２．９６％  ７５％      ６０％        ４０％
被害者発生係数  １３５．４１
（対処ａ−２）  フィルタの通過率０．０００２７２
被害者発生係数  １３３．６  
（対処ａ−３）  フィルタの通過率０．０００００１５８
被害者発生係数  １３３．５８
【００２４】
（ｂ）天井吹出し−天井吸込み型
５μ未満は浮遊し、以上は沈降する。カビ菌の胞子はかなり浮遊するが、ダニの糞や花粉は浮遊しない。飛沫感染防止効果がある。
（ｂ−現状）  フィルタの通過率０．８
Ｎ  残留量      沈降量      排出量      再循環量      その他
１．６６％  ７５％      ６０％        ４０％
被害者発生係数  ２５３．９５  
（対処ｂ−１）  フィルタの通過率０．００２３５
Ｎ  残留量      沈降量      排出量      再循環量      その他
１．６６％  ７５％      ６０％        ４０％
被害者発生係数  １３５．３５
（対処ｂ−２）  フィルタの通過率０．０００２７２
被害者発生係数  １３３．４６
（対処ｂ−３）  フィルタの通過率０．００００００１５８
被害者発生係数  １３３．４５
【００２５】
（ｃ）天井吹出し−壁吹込み型
６μ未満は浮遊し、以上は沈降する。カビ菌の胞子は浮遊するが、ダニの糞や花粉は浮遊しない。飛沫感染防止効果がやや劣る。
（ｃ−現状）  フィルタの通過率０．８
Ｎ  残留量      沈降量      排出量      再循環量      その他
０．９９％  ７５％      ６０％        ４０％
被害者発生係数  ２５４．９４
（ｃ−対処１）  フィルタの通過率０．０２３５
被害者発生係数  １３５．３０
（ｃ−対処２）  フィルタの通過率０．０００２７２
被害者発生係数  １３３．４２
（ｃ−対処３）  フィルタの通過率０．０００００１５８
被害者発生係数  １３３．３９
【００２６】
（ｄ）壁吹出し−壁吹込み型  １方向式
８μ未満は浮遊し、以上は沈降する。カビ菌がかなり浮遊するが、ダニの糞や花粉は浮遊しない。飛沫感染がかなり発生する。
（ｄ−現状）  フィルタの通過率０．８
Ｎ  残留量      沈降量      排出量      再循環量      その他
０．３６％  ７５％      ６０％        ４０％
被害者発生係数  ２５５．７６
（ｄ−対処１）フィルタの通過率  ０．００２３５
被害者発生係数  １３５．０６
（ｄ−対処２）  フィルタの通過率  ０．０００２７２
被害者発生係数  １３３．３６
（ｄ−対処３）  フィルタの通過率  ０．０００００１５８
被害者発生係数  １３３．３３
【００２７】
「集計」
現状            対処１        対処２        対処３
ａ；  ２５２．２１    １３５．４１    １３３．６      １３３．５８
ｂ；  ２５３．９５    １３５．３５    １３３．４６    １３３．４５
ｃ；  ２５４．９４    １３５．３０    １３３．４２    １３３．３９
ｄ；  ２５５．７６    １３５．２５    １３３．３６    １３３．３３
平均  ２５４．２２    １３５．３３    １３３．４６    １３３．４４
被害者発生率％  １００            ５３．２３      ５２．５        ５２．４９
検討１；被害者が発生する確立が１００／２５４．２２＝３９．３％の時、現状では在室者全員が被害者となる。また、被害者が発生する確率が１０％の時、現状→１０．０％、対処１→５．３２％、対処２→５．２５％、対処３→５．２５％となる。
検討２；前記空気浄化装置では、粒子状物質の通過率はあまり差はないが、ウイルスの通過率は、中性能型で０．００７９３９％、準高性能型で０．０００１３２％、高性能型で０．００００２７％となり、その差が大きい。
【００２８】
［１の２］一般施設：ガス状物質を散布された時
ガス状物質の場合は気流形式の影響は受けないので１種類だけ計算する。
＜現状  フィルタの透過率０．８  ＞
Ｎ  残留量      内装吸着      排出量      再循環量      その他
１２．５％    ７５％      ６０％        ４０％
被害者発生係数  ２３５．８３
＜対処１フィルタの透過率０．１  ＞  被害者発生係数  １４０．１７
＜対処２  同          ０．０２  ＞  被害者発生係数  １３４．４６
＜対処３  同          ０．０４  ＞  被害者発生係数  １３３．３８
「集計」
現状              対処１            対処２            対処３
Ｉ；  ２３５．８３      １４０．１７      １３４．４６      １３３．３８
（１００％）        （５９．４４％）  （５７．０２％）  （５６．５６％）
検討１；被害者が発生する確率が１００／２３５．８３＝４２．４％の時、在室者全
全員が被害者となる。
【００２９】
［２］重要施設
『対処』１；前記空気浄化装置に耐熱型フィルタを使用する。
目的；３５０℃の耐熱性能を付加。
２；Ａ室（部外者立ち入り区域）とＢ室（立ち入り禁止区域）を区分する。
目的；Ａ室への入室者→身元証明・身体検査・手荷物検査等。
３；Ａ室は陰圧、Ｂ室は陽圧にする。
目的；ドア等のすきまからの流入・漏出を防止。
４；外気取入口は部外者立ち入り禁止区域に設ける。
目的；有害物質の散布防止。
５；外気取入口、吸込み口に抗菌プレフィルタとＳＵＳ金網を設ける。
目的；砂塵や微小生物（１０〜１００μ）の侵入防止。
；砂塵によるフィルタの濾紙の破損防止。１００μはダクト内気流速度が１．６
ｍ／秒以上で飛散。
６；ダクトに逆流防止ダンパーを設ける（Ａ室流入口・Ｂ室排出口）。
７；Ａ室・Ｂ室に個別式空気浄化装置を併設する。
【００３０】
『検証』Ａ室；テロ発生現場→面積１、Ｂ室；重要施設→面積９
空調；セントラル方式で換気回数は８回／時
気流；天井→床（垂直１方向）を計算して比較する（他は省略）
『被害者発生率』
（１）粒子状物質
現状          対処１          対処２          対処３
Ａ室  １４７．５３  １３３．６３    １３３．５８    左  同
（１００％）  （９０．５８）  （９０．５４）
Ｂ室  １０４．６    １．６５        ０．０１      ４７．７×１０−６
（１００％）  （１．５８）    （０．０００１）  
（２）ガス状物質
現状          対処１          対処２          対処３
Ａ室  １５０．２７  １３３．８３    １３３．３２    １３３．１
（１００％）  （８９．０６）  （８８．７２）    （８８．５７）
Ｂ室    ８５．６１    ６．３４        １．２２      ０．０２
（１００％）    （７．４１）    （１．４３）  （０．０２％）
【００３１】
［２の１］重要施設；粒子状物質を散布された時
現状（フィルタの透過率０．８）
Ａ室  累  計      沈降量          排出量        再循環量    
Ｎ      ２．９６％    ×０．７５    ×０．０６  
被害者発生係数  １４７．５３
Ｂ室  累  計    沈降量          排出量          再循環量
Ｎ    ２．９６％    ×０．７５      ×０．５４
被害者発生係数  １０４．６
対処１（フィルタの透過率０．０２３５）
Ａ室  累  計      沈降量        排出量         再循環量
Ｎ    ２．９６％    ×０．７５      ×０．０６
被害者発生係数  １３３．６３
Ｂ室  累  計      沈降量        排出量          再循環量
Ｎ    ２．９６％    ×０．７５      ×０．５４
被害者発生係数  １．６５
対処２（フィルタの透過率０．０００２７２）
Ａ室  累  計      沈降量        排出量          再循環量
Ｎ    ２．９６％    ×０．７５      ×０．０６
被害者発生係数  １３３．５８
Ｂ室  累  計      沈降量        排出量          再循環量
Ｎ    ２．９６％    ×０．７５      ×０．５４
被害者発生係数  ０．０１
対処３（フィルタの透過率０．０００００１５８）
Ａ室  累  計      沈降量        排出量      再循環量
Ｎ    ２．９６％      ７５％      ６％
被害者発生係数  １３３．５８
Ｂ室  累  計      沈降量        排出量      再循環量
Ｎ    ２．９６％      ７５％      ５４％
被害者発生係数  ４７．７２×１０−６
【００３２】
［２の２］重要施設；ガス状物質が散布された時。
現状（フィルタの透過率０．８）
Ａ室  累  計      内装吸着      排出量      再循環量
Ｎ    １２．５％    ×０．７５    ×０．０６
被害者発生係数  １５０．２７
Ｂ室  累  計      内装吸着        排出量      再循環量
Ｎ      １２．５％    ×０．７５    ×０．５４
被害者発生係数  ８５．６１
対処１（フィルタの透過率０．１）
Ａ室  累  計      内装吸着        排出量      再循環量
Ｎ    １２．５％    ×０．７５      ×０．０６
被害者発生係数  １３３．８３
Ｂ室  累  計      内装吸着        排出量      再循環量
Ｎ    １２．５％    ×０．７５      ×０．５４
被害者発生係数  ６．３４
対処２（フィルタの透過率０．０２）
Ａ室  累  計      内装吸着        排出量      再循環量
Ｎ    １２．５％    ×０．７５      ×０．０６
被害者発生係数  １３３．３２
Ｂ室  累  計      内装吸着        排出量      再循環量
Ｎ    １２．５％    ×０．７５      ×０．５４
被害者発生係数  １．２２
対処３（フィルタの透過率０．０００４）
Ａ室  累  計      内装吸着        排出量      再循環量
Ｎ    １２．５％    ×０．７５      ×０．０６
被害者発生係数  １３３．１
Ｂ室  累  計      内装吸着        排出量      再循環量
Ｎ    １２．５％    ×０．７５      ×０．５４
被害者発生係数  ０．０２
【００３３】
上記のように、本発明は、炭ソ菌、ボツリヌス菌を代表とする細菌類およびそれらの毒素、天然痘ウィルス、ステルスウィルス及び重症急性呼吸器症候群（ＳＡＲＳ）などの病原性ウィルス類並びに砒素・青酸カリ・塩酸・硫酸・サリンなどの化学薬品等であり、これらの有害物質を、光触媒技術と空気清浄技術で無害化することにより、被害を皆無ないし最小限にとどめることができる。
【図面の簡単な説明】
【００３４】
【図１】本発明方法を実施する装置の平面図である。
【符号の説明】
【００３５】
１０  隔壁                      １１  給気ダクト
１２  還気ダクト                １３  外気取入口
１４  排気口                    １５  排気ダクト
１６  切換弁                    １７  空気浄化装置
１８  化学フィルタ              １９  バイパス  
２０  空気清浄器                ２１  送風機
２２  浮遊塵埃センサ            ２３  塵埃測定器
２４  コンピュータ              ２５  塵埃表示器
Ａ，Ｂ  密閉空間
【図１】
2005249299.tif 000003
【手続補正書】
【提出日】平成17年6月21日(2005.6.21)
【手続補正１】
【補正対象書類名】明細書
【補正対象項目名】０００１
【補正方法】変更
【補正の内容】
【０００１】
本発明は、炭疸菌、ボツリヌス菌を代表とする細菌類およびそれらの毒素、天然痘ウイルス、ステルスウイルス及び重症急性呼吸器症候群（ＳＡＲＳ）などの病原性ウイルス類並びに砒素・青酸カリ・塩酸・硫酸・サリンなどの化学薬品等であり、これらの有害物質を、光触媒技術と空気清浄技術で無害化することにより、被害を皆無ないし最小限にとどめる方法とその装置に関する。
【手続補正２】
【補正対象書類名】明細書
【補正対象項目名】０００２
【補正方法】変更
【補正の内容】
【０００２】
昨今、ＳＡＲＳコロナウイルスを病原体とする感染症の発生に対し、各国とも緊急な対応を迫られている、一方テロリストによる国家的に重要な人物や施設への生物化学的物質による攻撃が懸念されている。すなわち、炭疸菌、ボツリヌス菌を代表とする細菌類およびそれらの毒素、天然痘ウイルス、ステルスウイルスおよび重症急性呼吸器症候群（ＳＡＲＳ）などの微生物、並びに砒素・青酸カリ・塩酸・硫酸・サリンなどの化学薬品等による攻撃に対処する方策が求められている。
【手続補正３】
【補正対象書類名】明細書
【補正対象項目名】０００７
【補正方法】変更
【補正の内容】
【０００７】
図１は本発明方法を実施する装置の平面図である。図示のように、仕切壁１０で区画された２室以上の並列密閉空間Ａ室、Ｂ室を形成させ、各室に給気ダクト１１と還気ダクト１２を取付ける。両空間内の床に抗菌ワックス、天井に抗菌クリア、壁に抗菌クリアを塗布または抗菌カーテンを設け、両空間内に浮遊塵埃センサ２２を取付ける。密閉空間の壁に給気口と吸気口を開口させ、天井に排気口１４、１４から排気ダクト１５，１５を設ける。さらに還気ダクト１２に設けた外気取入口１３の下流に滅菌・除菌用の紫外線殺菌灯内蔵の化学フィルタ１８と空気浄化のため空気清浄器２０とからなる空気浄化装置１７を配置する。還気ダクト１２の途中における外気取入口１３より下流に切換弁１６を設け、一方に化学フィルタ１８を介して空気清浄器２０に連ね、他方にバイパス１９を設けて直接空気清浄器２０に連ねる。
平時にはＡ室、Ｂ室ともに吹出気流と天井吸引とで除塵、除菌、消臭又はガス除去を行う一方、室内に設けた浮遊塵埃センサ２２によって浮遊塵埃の粒径・数量を検出し、その検出値を浮遊塵埃測定器２３に入力する。浮遊塵埃測定器２３では所定粒径以上の病原菌又は重症性感染症病原菌の量を測定し、所定値を超えたときには、コンピュータ２４を介して塵埃表示器２５を点灯させる。
【手続補正４】
【補正対象書類名】明細書
【補正対象項目名】０００８
【補正方法】変更
【補正の内容】
【０００８】
上記のように、化学フィルタ１８と、空気清浄器２０と、２室以上の並列密閉空間Ａ室、Ｂ室の空気の循環により、換気を重ねることによって汚染物質を除去するものであり、特、最重要施設に対しては、２室以上の並列密閉空間としたＡ室をテロの発生の高い場所、Ｂ室を外来者立入禁止の保護対象エリアとし、個別化学フィルタと空気清浄器とによる空気浄化装置（バクテリア。ウイルス滅菌ゲート又はシェルタ）を併設し、多数回循環（例えばＮ＝８〜１６回／時）させることで浄化能力を向上させる。
【手続補正５】
【補正対象書類名】明細書
【補正対象項目名】００１０
【補正方法】変更
【補正の内容】
【００１０】
本発明は、生物化学テロに使われる材料を「粒子状物質」と「ガス状物質」として捉え、その特性と材料本来の特徴を利用した対処方法でもある。技術的なデータは実績と研究に基づいて出願人開発した規格・資料を採用したものであって、対象は建物内部に於ける生物化学テロであり、頻繁に発生するものではないが、平時はシックビルの改善或いはインフルエンザやＳＡＲＳの予防などに活用できる常備性のある対策である。
（構成１）；ＡＢ区分方式で、Ａゾーンは外来者の立ち入り区域でテロ発生の確率の高い区域であり、Ｂゾーンは外来者の立入禁止区域で保護区域とする。
（構成２）；化学フィルタと空気清浄器とによる空気浄化装置‥菌・ウイルスを死滅・不活化する装置（ガス除去も併設）で、ＨＥＰＡフィルタの弱点（ウイルスによる二次汚染現象）を解消した空気浄化装置である。また、空調区分方式の弱点（テロ発生系統の全滅の危険性）も解消できる。
（構成３）；気流の改善‥散布された汚染物質を気流で下方へ移動させる作用と下方からの吸引排出作用で、摂取量・摂取率が減る効果が生まれる。その結果、被害者の発生率が減り、治療効果が増す。
（構成４）；内面の抗菌化‥光触媒の酸化作用は、液体やガスなどの毒性作用を低下させる効果は即座に発揮する。天井・壁（カーテン含む）の加工は主にガス状物質対策である。１μ未満の粒子とガス以外は自然沈降するので、床面の加工は特に効果がある。
（構成５）；自動制御‥粒子状物質（日常の存在量＋臨時の増加量）を自動計測する。同時刻の増加が１０倍の時、警報を発する。テロの発生および発生場所を即座に知ることができる。ただし、テロに使われた材料を知ることはできない。ガス状物質も同様手法で感知する。
【手続補正６】
【補正対象書類名】明細書
【補正対象項目名】００１１
【補正方法】変更
【補正の内容】
【００１１】
（塵埃測定自動制御の原理）１μ未満の粒子は自然凝集して１μ以上に成長するものが多く、これらは静空間では沈降するが動空間では浮遊する。その中で、わずかな気流（０．０００６ｍ／秒）でも浮遊する１μ粒子を１μ未満の粒子の指標とする。また、ウイルス用の卵白粒子（１μ）や炭疸菌芽胞（１．５〜３μ）のように人工生成されたものも、自然凝集して１０μ以上になると見えるようになるが、沈降しやすく浮遊しにくくなる。そこで、浮遊粒子のほぼ限界となる５μに成長したものを１μ以上の粒子の指標とする（０．０１５ｍ／秒以上で浮遊）。なお、５μ粒子は、浮遊塵埃としてフィルタに捕捉されて循環せず、室内で発生又は散布したものを計測するので異常が発見しやすい。したがって、この２つの粒子の異常増加を計測することによって粒子状物質の散布を迅速に察知することができる。なお、１．０μ前後はウイルス用卵白細胞・高度生成菌（化学物質の凝集体）、
５．０μは卵白細胞や高度生成菌の凝集体（浮遊限界）として扱う。
【手続補正７】
【補正対象書類名】明細書
【補正対象項目名】００１２
【補正方法】変更
【補正の内容】
【００１２】
浮遊塵埃測定器で、室内の１μと５μ粒子の浮遊量を常時測定し、設定数値より異常に増加した時に警報や信号を発する。
設定数値の求め方としては、前日までの５週間の指標粒子の平均値（１回の換気時間毎）と同時刻の計測値を比較し、平均値の１０倍以上を計測したら異常と見なして、警報や信号を発する。平均値は毎日、再計算して更新する。（コンピュータ処理）これにより、テロの発生と発生場所を即座に知り、緊急避難や封鎖あるいは化学フィルタと空気清浄器とによる空気浄化装置の作動による空気浄化などを迅速に行う。または、ガス状物質の感知・警報も同様方法で行うことができる。
運転中に異常増加を感知したときには、（１）個別化学フィルタと空気清浄器とによる空気浄K化装置を作動させる。平時は使用しないがインフルエンザなどの流行時は手動で作動させる。（２）通過空気をバイパスさせずに化学フィルタと空気清浄器とによる空気浄K化装置を通過させる。平時は使用しないがインフルエンザなどの流行時は手動で作動させる。（３）中央式化学フィルタと空気清浄器とによる空気浄化装置の通過空気量を増やし、減少したらバイパスさせる。平時も室内の指標粒子の量が一定になる。
本発明は室内の浮遊菌等の捕捉はもちろんのこと、落下菌や床、壁もしくは天井等の内装部に付着した菌類を滅菌することができる。
【手続補正８】
【補正対象書類名】明細書
【補正対象項目名】００１３
【補正方法】変更
【補正の内容】
【００１３】
本発明で除去すべき「有害物質」とは、下記の形状又は状態、原料を指す。
（形状）粒子状物：１〜１０μの散布、気流により浮遊と沈降に区分される。
液体状物：原料液や懸濁液の噴霧によるもので、噴霧粒子の大きさにより粒状
と同様に区分される。
ガス状物：液化ガス又は気体の噴射で常温気化し、比重により上昇又は下降す
るもの。
（原料）微生物  ：炭疸菌の胞子（改良型１．５〜３μ）、（遅効性）ボツリヌス菌（
強力な毒素を産生）、天然痘ウイルス（２５０〜３００ｎｍ）、ス
テルスウイルス、ＳＡＲＳなどのウイルス類。
化学薬品：砒素・青酸カリ・塩酸・硫酸・サリン（速効性）。
【手続補正９】
【補正対象書類名】明細書
【補正対象項目名】００１４
【補正方法】変更
【補正の内容】
【００１４】
被害を減らす手段としては、下記手段又は対処イ，ロ，ハが挙げられる。
（手段イ）：空気を浄化する。
外気；取入れ外気からの侵入を防止する。外気専用又は中央式化学フィルタと空気清浄
器とによる空気浄化装置を設置する。
室内空気；室内の有害物質を化学フィルタと空気清浄器とによる空気浄化装置で浄化す
る。中央式化学フィルタと空気清浄器とによる空気浄化装置を設置できない
時は個別式化学フィルタと空気清浄器とによる空気浄化装置を室内に設ける。
（手段ロ）：室内面を浄化する。
天井：比重の軽いガス状物質を分解処理するため、抗菌クリアを塗布する。
壁  ；比重の軽いガス状物質を分解処理するため、抗菌クリアを塗布又は窓部分に抗菌
加工したレースカーテンを設ける。
床  ；沈降・堆積する有害物質を分解処理するため、抗菌ワックスを塗布する。
例えば、プラスチックタイル、木材又は石材床に抗菌ワックスを塗布し、補強コ
ンクリート床に抗菌エポキシ樹脂を塗装した抗菌タイルを敷設する。
なお、天井・壁；組立式の抗菌断熱パネルを使用すると、気密性が非常に良く、
有害物質の漏洩や侵入を防ぐ必要のある場合に適している。
（手段ハ）：気流を改善する。
１．下方気流；有害物質の浮遊停滞を減らして呼吸による摂取量を減らす。
２．吸込み口；床面付近から空気を吸込む形式にすると、下方に溜まる有害物質を早く
排出できる。
【手続補正１０】
【補正対象書類名】明細書
【補正対象項目名】００２１
【補正方法】変更
【補正の内容】
【００２１】
（被害想定）生物化学テロが発生した時の被害状況を比較検討する。
比較    現状のまま：対処１（中性能型ＢＶ）：対処２（準高性能型ＢＶ）
規模    建物    延べ面積  ４５００ｍ
［１］一般施設
比較    現状のまま：対処１（中性能型ＢＶ）：対処２（準構成能型ＢＶ）
規模    建物    延べ面積  ４５００ｍ２  ＝  ９０ｍ×５０ｍ×１階建
対象室  ３０００ｍ２  ＝  ６０ｍ×５０ｍ
その他  １５００ｍ２  ＝  ３０ｍ×５０ｍ
天井高    ２．７ｍ
空調    方式      セントラル方式
換気回数  ８回／時（７．５分に１回換気）
送風量    １０８０ＣＭＭ＝  ３０００×２．７×８÷６０
外気量    １０８  ＣＭＭ＝  １０８０×０．１
対処１；中央式化学フィルタと空気清浄器とによる空気浄化装置（中性能型）を１基
設け、吸込み口は立下りダクト又はカバーを設ける。天井加工は対象室・そ
の他を全面塗装（抗菌クリア）し、床加工は対象室・その他を全面塗装（抗
菌ワックス）する。
窓に抗菌レースカーテンを設ける
対処２；中央式化学フィルタと空気清浄器とによる空気浄化装置（準高性能型）を１
基設ける。他は対処１に同じ。
対処３；中央式化学フィルタと空気清浄器とによる空気浄化装置（高性能型）を１基
設ける。他は対処１に同じ。
（被害者の発生率）
被害者の発生は初期の散布量１００が換気によって室内残留量がゼロになるまで継続するので、その合計を発生係数とする。最大の被害者発生数は発生率１００％の時なので、上記数値を１００％とした時の対処１・対処２・対処３の数値を比較する。
【手続補正１１】
【補正対象書類名】明細書
【補正対象項目名】００３３
【補正方法】変更
【補正の内容】
【００３３】
上記のように、本発明は、炭疸菌、ボツリヌス菌を代表とする細菌類およびそれらの毒素、天然痘ウィルス、ステルスウィルス及び重症急性呼吸器症候群（ＳＡＲＳ）などの病原性ウィルス類並びに砒素・青酸カリ・塩酸・硫酸・サリンなどの化学薬品等であり、これらの有害物質を、光触媒技術と空気清浄技術で無害化することにより、被害を皆無ないし最小限にとどめることができる。